(57)【要約】  ワイヤレス通信ネットワーク（１００）において干渉を低減するために送信ノード（１１０）によって実施される方法が提供される。送信ノード（１１０）は、送信ノード（１１０）からの送信信号に対して干渉ノード（１１１）によって引き起こされた干渉が、ワイヤレス通信ネットワーク（１００）における受信ノード（１２１）における送信信号の受信に関するタイミング条件を満たすことを示す情報を受信する。次いで、送信ノード（１１０）は、受信された情報に基づいて送信ノード（１１０）における１つまたは複数の送信パラメータを調整する。また、送信ノード（１１０）が提供される。その上、ワイヤレス通信ネットワーク（１００）において干渉を低減するための干渉ノード（１１１）および干渉ノード（１１１）における方法、ならびにワイヤレス通信ネットワーク（１００）において干渉を低減するための受信ノード（１２１）および受信ノード（１２１）における方法も提供される。【選択図】図１
2019512930.tif 000002
【特許請求の範囲】
【請求項１】
ワイヤレス通信ネットワーク（１００）において干渉を低減するために送信ノード（１１０）によって実施される方法であって、前記方法は、
前記送信ノード（１１０）からの送信信号に対して干渉ノード（１１１）によって引き起こされた干渉が、前記ワイヤレス通信ネットワーク（１００）における受信ノード（１２１）における前記送信信号の受信に関するタイミング条件を満たすことを示す情報を受信すること（２０１）と、
前記受信された情報に基づいて前記送信ノード（１１０）における１つまたは複数の送信パラメータを調整すること（２０２）と
を含む、方法。
【請求項２】
前記タイミング条件は、前記受信ノード（１２１）において前記送信信号の前記受信よりも前に前記干渉が受信されたこと、または前記受信ノード（１２１）において前記送信信号の前記受信と同時に前記干渉が受信されたこと、または前記受信ノード（１２１）において前記送信信号の前記受信よりも後に前記干渉が受信されたことである、請求項１に記載の方法。
【請求項３】
前記タイミング条件が、前記受信ノード（１２１）において前記送信信号よりも前に前記干渉が受信されたことを示すとき、前記調整すること（２０２）は、
−  チャネル検知しきい値を減少させること、および／または
−  前記送信ノード（１１０）からの送信信号の送信電力を増加させること
を含む、請求項２に記載の方法。
【請求項４】
前記タイミング条件が、前記受信ノード（１２１）において送信の前記受信よりも後に前記干渉が受信されたことを示すとき、前記調整すること（２０２）は、
−  前記ワイヤレス通信ネットワーク（１００）においてリクエストツートランスミット／クリアツートランスミット（ＲＴＳ／ＣＴＳ）プロシージャを開始すること、および／または
−  前記送信ノード（１１０）からの送信信号の前記送信電力を増加させること
を含む、請求項２または３に記載の方法。
【請求項５】
前記タイミング条件が、前記受信ノード（１２１）において前記送信信号の前記受信と同時に前記干渉が受信されたことを示すとき、前記調整すること（２０２）は、前記送信ノード（１１０）における競合ウィンドウサイズを増加させることを含む、請求項２から４のいずれか一項に記載の方法。
【請求項６】
ワイヤレス通信ネットワーク（１００）において干渉を低減するための送信ノード（１１０）であって、前記送信ノード（１１０）は、
前記送信ノード（１１０）からの送信信号に対して干渉ノード（１１１）によって引き起こされた干渉が、前記ワイヤレス通信ネットワーク（１００）における受信ノード（１２１）における前記送信信号の受信に関するタイミング条件を満たすことを示す情報を受信することと、前記受信された情報に基づいて前記送信ノード（１１０）における１つまたは複数の送信パラメータを調整することと
を行うように設定された、送信ノード（１１０）。
【請求項７】
前記タイミング条件は、前記受信ノード（１２１）において前記送信信号の前記受信よりも前に前記干渉が受信されたこと、または前記受信ノード（１２１）において前記送信信号の前記受信と同時に前記干渉が受信されたこと、または前記受信ノード（１２１）において前記送信信号の前記受信よりも後に前記干渉が受信されたことである、請求項６に記載の送信ノード（１１０）。
【請求項８】
前記タイミング条件が、前記受信ノード（１２１）において前記送信信号よりも前に前記干渉が受信されたことを示すとき、前記送信ノード（１１０）は、チャネル検知しきい値を減少させることによって、および／または前記送信ノード（１１０）からの送信信号の送信電力を増加させることによって、１つまたは複数の送信パラメータを調整するように設定された、請求項７に記載の送信ノード（１１０）。
【請求項９】
前記タイミング条件が、前記受信ノード（１２１）において送信の前記受信よりも後に前記干渉が受信されたことを示すとき、前記送信ノード（１１０）は、前記ワイヤレス通信ネットワーク（１００）においてリクエストツートランスミット／クリアツートランスミット（ＲＴＳ／ＣＴＳ）プロシージャを開始することによって、および／または前記送信ノード（１１０）からの送信信号の前記送信電力を増加させることによって、１つまたは複数の送信パラメータを調整するように設定された、請求項７または８に記載の送信ノード（１１０）。
【請求項１０】
前記タイミング条件が、前記受信ノード（１２１）において前記送信信号の前記受信と同時に前記干渉が受信されたことを示すとき、前記送信ノード（１１０）は、前記送信ノード（１１０）における競合ウィンドウサイズを増加させることによって１つまたは複数の送信パラメータを調整するように設定された、請求項７から９のいずれか一項に記載の送信ノード（１１０）。
【請求項１１】
ワイヤレス通信ネットワーク（１００）において干渉を低減するために干渉ノード（１１１）によって実施される方法であって、前記方法は、
送信ノード（１１０）からの送信信号に対して前記干渉ノード（１１１）によって引き起こされた干渉が、前記ワイヤレス通信ネットワーク（１００）における受信ノード（１２１）における前記送信信号の受信に関するタイミング条件を満たすことを示す情報を受信すること（３０１）と、
前記受信された情報に基づいて前記干渉ノード（１１１）における１つまたは複数の送信パラメータを調整すること（３０２）と
を含む、方法。
【請求項１２】
前記タイミング条件は、前記受信ノード（１２１）において前記送信信号の前記受信よりも前に前記干渉が受信されたこと、または前記受信ノード（１２１）において前記送信信号の前記受信と同時に前記干渉が受信されたこと、または前記受信ノード（１２１）において前記送信信号の前記受信よりも後に前記干渉が受信されたことである、請求項１１に記載の方法。
【請求項１３】
前記タイミング条件が、前記受信ノード（１２１）において前記送信信号よりも前に前記干渉が受信されたことを示すとき、前記調整すること（３０２）は、
−  前記ワイヤレス通信ネットワーク（１００）においてリクエストツートランスミット／クリアツートランスミット（ＲＴＳ／ＣＴＳ）プロシージャを開始すること、および／または
−  前記干渉ノード（１１１）からの送信信号の送信電力を減少させること
を含む、請求項１２に記載の方法。
【請求項１４】
前記タイミング条件が、前記受信ノード（１２１）において送信の前記受信よりも後に前記干渉が受信されたことを示すとき、前記調整すること（３０２）は、
−  チャネル検知しきい値を減少させること、および／または
−  前記干渉ノード（１１１）からの送信信号の前記送信電力を減少させること
を含む、請求項１２または１３に記載の方法。
【請求項１５】
前記タイミング条件が、前記受信ノード（１２１）において前記送信信号の前記受信と同時に前記干渉が受信されたことを示すとき、前記調整すること（２０２）は、前記干渉ノード（１１１）における競合ウィンドウサイズを増加させることを含む、請求項１２から１４のいずれか一項に記載の方法。
【請求項１６】
ワイヤレス通信ネットワーク（１００）において干渉を低減するための干渉ノード（１１１）であって、前記干渉ノード（１１１）は、
送信ノード（１１０）からの送信信号に対して前記干渉ノード（１１１）によって引き起こされた干渉が、前記ワイヤレス通信ネットワーク（１００）における受信ノード（１２１）における前記送信信号の受信に関するタイミング条件を満たすことを示す情報を受信することと、前記受信された情報に基づいて前記干渉ノード（１１１）における１つまたは複数の送信パラメータを調整することと
を行うように設定された、干渉ノード（１１１）。
【請求項１７】
前記タイミング条件は、前記受信ノード（１２１）において前記送信信号の前記受信よりも前に前記干渉が受信されたこと、または前記受信ノード（１２１）において前記送信信号の前記受信と同時に前記干渉が受信されたこと、または前記受信ノード（１２１）において前記送信信号の前記受信よりも後に前記干渉が受信されたことである、請求項１６に記載の干渉ノード（１１１）。
【請求項１８】
前記タイミング条件が、前記受信ノード（１２１）において前記送信信号よりも前に前記干渉が受信されたことを示すとき、前記干渉ノード（１１１）は、前記ワイヤレス通信ネットワーク（１００）においてリクエストツートランスミット／クリアツートランスミット（ＲＴＳ／ＣＴＳ）プロシージャを開始することによって、および／または前記干渉ノード（１１１）からの送信信号の送信電力を減少させることによって、１つまたは複数の送信パラメータを調整するように設定された、請求項１７に記載の干渉ノード（１１１）。
【請求項１９】
前記タイミング条件が、前記受信ノード（１２１）において送信の前記受信よりも後に前記干渉が受信されたことを示すとき、前記干渉ノード（１１１）は、チャネル検知しきい値を減少させることによって、および／または前記干渉ノード（１１１）からの送信信号の前記送信電力を減少させることによって、１つまたは複数の送信パラメータを調整するように設定された、請求項１７または１８に記載の干渉ノード（１１１）。
【請求項２０】
前記タイミング条件が、前記受信ノード（１２１）において前記送信信号の前記受信と同時に前記干渉が受信されたことを示すとき、前記干渉ノード（１１１）は、前記干渉ノード（１１１）における競合ウィンドウサイズを増加させることによって１つまたは複数の送信パラメータを調整するように設定された、請求項１７から１９のいずれか一項に記載の干渉ノード（１１１）。
【請求項２１】
ワイヤレス通信ネットワーク（１００）において干渉を低減するために受信ノード（１２１）によって実施される方法であって、前記方法は、
送信ノード（１１０）からの送信信号に対して干渉ノード（１１１）によって引き起こされた干渉が、前記受信ノード（１２１）における前記送信信号の受信に関するタイミング条件を満たすことを示す情報を決定すること（３０１）と、
前記干渉ノード（１１１）におよび／または前記送信ノード（１１０）に、前記決定された情報を送信すること（３０２）と
を含む、方法。
【請求項２２】
前記タイミング条件は、前記受信ノード（１２１）において前記送信信号の前記受信よりも前に前記干渉が受信されたこと、または前記受信ノード（１２１）において前記送信信号の前記受信と同時に前記干渉が受信されたこと、または前記受信ノード（１２１）において前記送信信号の前記受信よりも後に前記干渉が受信されたことである、請求項２１に記載の方法。
【請求項２３】
前記受信ノード（１２１）において前記送信信号の前記受信よりも前に前記干渉が受信されたという前記タイミング条件は、前記送信信号のほとんどのデータユニットが、間違って復号された、前記送信信号のプリアンブルの後に発生するデータユニットの最初のデータペイロードユニットを少なくとも有すると同時に、正しく復号された、前記送信信号のプリアンブルの後に発生するデータユニットの最後のデータペイロードユニットをも少なくとも有するとき、満たされると見なされる、請求項２２に記載の方法。
【請求項２４】
前記受信ノード（１２１）において前記送信信号の前記受信よりも後に前記干渉が受信されたという前記タイミング条件は、前記送信信号のほとんどのデータユニットが、正しく復号された、前記送信信号のプリアンブルの後に発生するデータユニットの最初のデータペイロードユニットを少なくとも有すると同時に、間違って復号された、前記送信信号のプリアンブルの後に発生するデータユニットの最後のデータペイロードユニットをも少なくとも有するとき、満たされると見なされる、請求項２２または２３に記載の方法。
【請求項２５】
前記受信ノード（１２１）において送信信号の前記受信と同時に前記干渉が受信されたという前記タイミング条件は、前記送信信号のほとんどのデータユニットが、間違って復号された、前記送信信号のプリアンブルの後に発生するデータユニットの最初のデータペイロードユニットを少なくとも有すると同時に、前記送信信号の受信信号強度が、決定されたしきい値を上回るとき、満たされると見なされる、請求項２２から２４のいずれか一項に記載の方法。
【請求項２６】
前記送信信号の前記データユニットが、ＷＬＡＮ  ＰＬＣＰパケットデータユニット（ＷＬＡＮ  ＰＰＤＵ）であり、前記データペイロードユニットが、アグリゲートＭＡＣプロトコルデータユニット（ＡＭＰＤＵ）である、請求項２３から２５のいずれか一項に記載の方法。
【請求項２７】
前記ワイヤレス通信ネットワーク（１００）が、未ライセンススペクトルにおいて動作する、請求項２１から２６のいずれか一項に記載の方法。
【請求項２８】
ワイヤレス通信ネットワーク（１００）において干渉を低減するための受信ノード（１２１）であって、前記受信ノード（１２１）は、
送信ノード（１１０）からの送信信号に対して干渉ノード（１１１）によって引き起こされた干渉が、前記受信ノード（１２１）における前記送信信号の受信に関するタイミング条件を満たすことを示す情報を決定することと、前記干渉ノード（１１１）におよび／または前記送信ノード（１１０）に、前記決定された情報を送信することと
を行うように設定された、受信ノード（１２１）。
【請求項２９】
前記タイミング条件は、前記受信ノード（１２１）において前記送信信号の前記受信よりも前に前記干渉が受信されたこと、または前記受信ノード（１２１）において前記送信信号の前記受信と同時に前記干渉が受信されたこと、または前記受信ノード（１２１）において前記送信信号の前記受信よりも後に前記干渉が受信されたことである、請求項２８に記載の受信ノード（１２１）。
【請求項３０】
前記受信ノード（１２１）において前記送信信号の前記受信よりも前に前記干渉が受信されたという前記タイミング条件は、前記送信信号のほとんどのデータユニットが、間違って復号された、前記送信信号のプリアンブルの後に発生するデータユニットの最初のデータペイロードユニットを少なくとも有すると同時に、正しく復号された、前記送信信号のプリアンブルの後に発生するデータユニットの最後のデータペイロードユニットをも少なくとも有するとき、満たされると見なされる、請求項２９に記載の受信ノード（１２１）。
【請求項３１】
前記受信ノード（１２１）において前記送信信号の前記受信よりも後に前記干渉が受信されたという前記タイミング条件は、前記送信信号のほとんどのデータユニットが、正しく復号された、前記送信信号のプリアンブルの後に発生するデータユニットの最初のデータペイロードユニットを少なくとも有すると同時に、間違って復号された、前記送信信号のプリアンブルの後に発生するデータユニットの最後のデータペイロードユニットをも少なくとも有するとき、満たされると見なされる、請求項２９または３０に記載の受信ノード（１２１）。
【請求項３２】
前記受信ノード（１２１）において送信信号の前記受信と同時に前記干渉が受信されたという前記タイミング条件は、前記送信信号のほとんどのデータユニットが、間違って復号された、前記送信信号のプリアンブルの後に発生するデータユニットの最初のデータペイロードユニットを少なくとも有すると同時に、前記送信信号の受信信号強度が、決定されたしきい値を上回るとき、満たされると見なされる、請求項２９から３１のいずれか一項に記載の受信ノード（１２１）。
【請求項３３】
前記送信信号の前記データユニットが、ＷＬＡＮ  ＰＬＣＰパケットデータユニット（ＷＬＡＮ  ＰＰＤＵ）であり、前記データペイロードユニットが、アグリゲートＭＡＣプロトコルデータユニット（ＡＭＰＤＵ）である、請求項３０から３２のいずれか一項に記載の方法。
【請求項３４】
前記ワイヤレス通信ネットワーク（１００）が、未ライセンススペクトルにおいて動作する、請求項２８から３３のいずれか一項に記載の方法。
【請求項３５】
少なくとも１つのプロセッサ（６１０、７１０、８１０）上で実行されたとき、前記少なくとも１つのプロセッサ（６１０、７１０、８１０）に、請求項１から５、１１から１５、または２１から２７のいずれか一項に記載の方法を行わせる命令を備える、コンピュータプログラム製品。
【請求項３６】
請求項３５に記載のコンピュータプログラム製品を含んでいるキャリアであって、電子信号、光信号、無線信号、またはコンピュータ可読記憶媒体のうちの１つである、キャリア。
【発明の詳細な説明】
【技術分野】
【０００１】
本明細書の実施形態は、ワイヤレス通信ネットワークにおいて干渉を低減することに関する。特に、本明細書の実施形態は、ワイヤレス通信ネットワークにおいて干渉を低減するための送信ノードおよび送信ノードにおける方法、ならびにワイヤレス通信ネットワークにおいて干渉を低減するための干渉ノードおよび干渉ノードにおける方法に関する。本明細書の実施形態は、ワイヤレス通信ネットワークにおいて干渉を低減するための受信ノードおよび受信ノードにおける方法にさらに関する。
【背景技術】
【０００２】
Ｗｉ−Ｆｉネットワークとも呼ばれる、規格化されたＩＥＥＥ８０２．１１ワイヤレスＬＡＮ（ＷＬＡＮ）は、未ライセンス周波数帯域上で動作するワイヤレス通信ネットワーク技術である。現在、規格化されたＩＥＥＥ８０２．１１  ＷＬＡＮは、２．４ＧＨｚおよび／または５ＧＨｚ帯域上で主に動作する。規格仕様は、物理（ＰＨＹ）レイヤ、媒体アクセス制御（ＭＡＣ）レイヤ、およびそこにおけるノードの他の態様を、それらの適合性およびインターオペラビリティをセキュアにするために規定する。
【０００３】
規格化されたＩＥＥＥ８０２．１１  ＷＬＡＮでは、基本サービングセット（ＢＳＳ：Ｂａｓｉｃ  Ｓｅｒｖｉｎｇ  Ｓｅｔ）が、ワイヤレス通信ネットワークの基本ビルディングブロックと見なされる。ＢＳＳは、いくつかのノード、すなわち、通常、少なくとも１つのアクセスポイント（ＡＰ）と、少なくとも１つのＡＰによってサーブされる一定のカバレッジエリアまたはセル内に位置するいくつかの局（ＳＴＡ）とを備える。ここで、また、２つまたはそれ以上のＢＳＳの重複カバレッジエリア内に位置するＳＴＡは、重複基本サービスセット（ＯＢＳＳ：Ｏｖｅｒｌａｐｐｉｎｇ  Ｂａｓｉｃ  Ｓｅｒｖｉｃｅ  Ｓｅｔ）を有するＳＴＡと呼ばれることもあることに留意されたい。
【０００４】
ＢＳＳ／ＯＢＳＳ内では、少なくとも１つのＡＰとＳＴＡとの間の送信の協調は、典型的に、分散協調機能（ＤＣＦ：Ｄｉｓｔｒｉｂｕｔｅ  Ｃｏｏｒｄｉｎａｔｉｏｎ  Ｆｕｎｃｔｉｏｎ）を使用して分散様式で実施される。これは、送信の前に、特有の時間期間の間チャネルを検知することによって、ＳＴＡがクリアチャネルアセスメント（ＣＣＡ：Ｃｌｅａｒ  Ｃｈａｎｎｅｌ  Ａｓｓｅｓｓｍｅｎｔ）を最初に実施することを意味する。チャネルがアイドルであると考えられる場合、ＳＴＡは送信し、他の場合、ＳＴＡは、典型的に、ランダムバックオフ期間を待ち、次いで、チャネルがアイドルであり、これにより送信のために利用可能であるかどうかを再び検査しなければならない。ランダムバックオフ期間は、一般に、バックオフタイマーが、０から、ＳＴＡにおける現在の競合ウィンドウ（ＣＷ）サイズとの間で一様に選定されたランダム時間にセットされることによって実装される。ランダムバックオフ期間はまた、同じＢＳＳにおいて送信することを望む複数のＳＴＡのための衝突回避機構を提供する。これは、一般に、キャリア検知多重アクセス／衝突回避（ＣＳＭＡ／ＣＡ：Ｃａｒｒｉｅｒ  Ｓｅｎｓｉｎｇ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）と呼ばれることもある。
【０００５】
加えて、ＢＳＳ／ＯＢＳＳ内の送信の協調のためのこのプロシージャは、リクエストツーセンド／クリアツーセンド（ＲＴＳ／ＣＴＳ：Ｒｅｑｕｅｓｔ−Ｔｏ−Ｓｅｎｄ／Ｃｌｅａｒ−Ｔｏ−Ｓｅｎｄ）交換プロシージャをさらに備え得る。この場合、送信ノード、たとえばＡＰまたはＳＴＡは、いわゆるＲＴＳメッセージを送ることによって明示的にチャネルへのアクセスを要求し、データ送信を実施する前に、対象とする受信ノード、たとえばＡＰまたはＳＴＡからのいわゆるＣＴＳメッセージの受信を必要とする。ＲＴＳ／ＣＴＳメッセージ交換中に、送信された本質的にすべてのメッセージ、すなわち、ＲＴＳ、ＣＴＳ、データおよび制御シグナリングメッセージが、ＮＡＶタイマー値を備える。ＮＡＶ時間値は、データパケット送信全体の残りの持続時間を指定する。これらのメッセージを同じく受信するＢＳＳ／ＯＢＳＳにおける他のノード、たとえばＡＰまたはＳＴＡは、次いで、それらの内部ＮＡＶタイマーを対応する値を用いてセットする。次いで、内部ＮＡＶタイマーは、動いている間、チャネルをビジーであるとマークすることになる。
【０００６】
将来のＷＬＡＮ規格において導入され得る１つの改善は、クリアチャネルアセスメント（ＣＣＡ）のための検知しきい値の調整である。この検知しきい値は、クリアチャネルアセスメントしきい値（ＣＣＡＴ：Ｃｌｅａｒ  Ｃｈａｎｎｅｌ  Ａｓｓｅｓｓｍｅｎｔ  Ｔｈｒｅｓｈｏｌｄ）と呼ばれることがある。送信の受信信号強度レベルがＣＣＡＴを上回る場合、チャネルはビジーであると考えられ、または送信の受信信号強度レベルがＣＣＡＴを上回らない場合、チャネルはアイドルであると考えられるという点で、ＣＣＡＴは、チャネルがビジーであるのかアイドルであるのかを査定するために使用される。
【０００７】
静的ＣＣＡＴを使用すると、ＢＳＳ／ＯＢＳＳにおけるノードは、同時送信が可能である、すなわち、互いの同時送信によって引き起こされる干渉が許容レベルにあるにもかかわらず、そのノードが隣接ＢＳＳにおける並列送信にさらされる場合、チャネルにアクセスすることを控えることがある。これは、所与の時間にＢＳＳ／ＯＢＳＳにおいて実施され得る同時送信の数を制限する欠点を有する。次には、これは、特に、今日使用されるＣＣＡＴは、たとえば−８２ｄＢｍなど、極めて低い値に控えめにセットされるので、利用可能なチャネルを十分に利用しないことによって、ワイヤレス通信ネットワークの性能をも制限することになる。
【０００８】
代わりに、ＢＳＳ／ＯＢＳＳにおけるノード、すなわちＳＴＡまたはＡＰが、動的におよび個々にそのＣＣＡＴを適応させ得る場合、ワイヤレス通信ネットワークにおける同時送信の量は、ＢＳＳ／ＯＢＳＳ内の衝突の確率を著しく増加させることなしに増加され得る。言い換えれば、チャネルの利用は、ワイヤレス通信ネットワークの性能の劣化なしに増加することになる。それゆえ、適応チャネルアクセス機構が、ＩＥＥＥ８０２．１１−１５／０１３２ｒ８「Ｓｐｅｃｉｆｉｃａｔｉｏｎ  Ｆｒａｍｅｗｏｒｋ  ｆｏｒ  ＴＧａｘ」において提案された。
【０００９】
この適応チャネルアクセス機構では、ＢＳＳ／ＯＢＳＳにおける各ノードは、現在の状況に応じてそのＣＣＡＴを適応的に調整し得る。いくつかの研究は、よりアグレッシブな値、たとえば−８２ｄＢｍよりも高い値にＣＣＡＴを調整することが、平均性能セルエッジノードと５パーセンタイルワースト性能セルエッジノードの両方について、スループットの増加を与え得ることを示した。しかしながら、ＷＬＡＮにおける空間再利用特徴は、ワイヤレス通信ネットワークの効率を改善し得るが、その特徴はまた、ワイヤレス通信ネットワーク全体における干渉レベルを増加させることになる。この干渉の特性は、干渉を引き起こすノードの送信パターンに応じて極めて時間動的であり得る。そのような時間動的干渉は、リンク適応の設計に課題をもたらし、リンク適応が干渉のレベルに従って変調符号化方式（ＭＣＳ：Ｍｏｄｕｌａｔｉｏｎ  ａｎｄ  Ｃｏｄｉｎｇ  Ｓｃｈｅｍｅ）を調整することに失敗した場合、高いパケットロスレートを引き起こし得る。結果として、この高いパケットロスレートは、低減されたユーザスループットとより高い送信レイテンシの両方を生じ得、これは、ワイヤレス通信ネットワークにおける伝送性能の低下につながる。
【発明の概要】
【００１０】
本明細書の実施形態の目的は、ワイヤレス通信ネットワークにおける伝送性能を改善することである。
【００１１】
本明細書の実施形態の第１の態様によれば、目的は、ワイヤレス通信ネットワークにおいて干渉を低減するために送信ノードによって実施される方法によって達成される。送信ノードは、送信ノードからの送信信号に対して干渉ノードによって引き起こされた干渉が、ワイヤレス通信ネットワークにおける受信ノードにおける送信信号の受信に関するタイミング条件を満たすことを示す情報を受信する。次いで、送信ノードは、受信された情報に基づいて送信ノードにおける１つまたは複数の送信パラメータを調整する。
【００１２】
本明細書の実施形態の第２の態様によれば、目的は、ワイヤレス通信ネットワークにおいて干渉を低減するための送信ノードによって達成される。送信ノードは、送信ノードからの送信信号に対して干渉ノードによって引き起こされた干渉が、ワイヤレス通信ネットワークにおける受信ノードにおける送信信号の受信に関するタイミング条件を満たすことを示す情報を受信するように設定される。送信ノードはまた、受信された情報に基づいて送信ノードにおける１つまたは複数の送信パラメータを調整するように設定される。
【００１３】
本明細書の実施形態の第３の態様によれば、目的は、ワイヤレス通信ネットワークにおいて干渉を低減するために干渉ノードによって実施される方法によって達成される。干渉ノードは、送信ノードからの送信信号に対して干渉ノードによって引き起こされた干渉が、ワイヤレス通信ネットワークにおける受信ノードにおける送信信号の受信に関するタイミング条件を満たすことを示す情報を受信する。次いで、干渉ノードは、受信された情報に基づいて干渉ノードにおける１つまたは複数の送信パラメータを調整する。
【００１４】
本明細書の実施形態の第４の態様によれば、目的は、ワイヤレス通信ネットワークにおいて干渉を低減するための干渉ノードによって達成される。干渉ノードは、送信ノードからの送信信号に対して干渉ノードによって引き起こされた干渉が、ワイヤレス通信ネットワークにおける受信ノードにおける送信信号の受信に関するタイミング条件を満たすことを示す情報を受信するように設定される。干渉ノードはまた、受信された情報に基づいて干渉ノードにおける１つまたは複数の送信パラメータを調整するように設定される。
【００１５】
本明細書の実施形態の第５の態様によれば、目的は、ワイヤレス通信ネットワークにおいて干渉を低減するために受信ノードによって実施される方法によって達成される。受信ノードは、送信ノードからの送信信号に対して干渉ノードによって引き起こされた干渉が、受信ノードにおける送信信号の受信に関するタイミング条件を満たすことを示す情報を決定する。次いで、受信ノードは、干渉ノードにおよび／または送信ノードに、決定された情報を送信する。
【００１６】
本明細書の実施形態の第６の態様によれば、目的は、ワイヤレス通信ネットワークにおいて干渉を低減するための受信ノードによって達成される。受信ノードは、送信ノードからの送信信号に対して干渉ノードによって引き起こされた干渉が、受信ノードにおける送信信号の受信に関するタイミング条件を満たすことを示す情報を決定するように設定される。受信ノードはまた、干渉ノードにおよび／または送信ノードに、決定された情報を送信するように設定される。
【００１７】
受信ノードにおける送信信号の受信に関するタイミング条件に基づいて、すなわち、送信信号が受信ノードによって受信された時点と、干渉が同じ受信ノードによって受信された時点との間の関係に基づいて、干渉を特徴づけることと、送信信号を送信する送信ノードにおよび／または干渉を引き起こす干渉ノードに、この情報を与えることとによって、送信ノードおよび／または干渉ノードは、ワイヤレス通信ネットワークにおける増加された干渉を回避するために、ワイヤレス通信ネットワークにおけるその空間再利用において多少慎重であることを可能にされる。たとえば、受信ノードが受けた干渉が、送信信号の受信の時間の前に受信されたのか、その時間と同時に受信されたのか、その時間の後に受信されたのかについて通知されることによって、受信ノードが受けた干渉を低減するために、送信ノードおよび／または干渉ノードによって、その空間再利用パラメータを調整するために異なるアクションがとられ得る。これは、ワイヤレス通信ネットワークにおいて高干渉によるデータパケットロスが回避され得ることと、ワイヤレス通信ネットワークにおける全体的パケットロスが低減され得ることとを意味する。これにより、ワイヤレス通信ネットワークの効率が、ワイヤレス通信ネットワークにおいて高いレベルの干渉を生成することなしに増加され得る。
【００１８】
したがって、ワイヤレス通信ネットワークにおける伝送性能が改善される。
【００１９】
実施形態の特徴および利点は、添付の図面を参照しながら、それの例示的な実施形態の以下の発明を実施するための形態によって容易に当業者に明らかになる。
【図面の簡単な説明】
【００２０】
【図１】ワイヤレス通信ネットワークにおける送信ノード、干渉ノードおよび受信ノードの実施形態を例示する概略ブロック図である。
【図２】送信ノードにおける方法の実施形態を描くフローチャートである。
【図３】干渉ノードにおける方法の実施形態を描くフローチャートである。
【図４】受信ノードにおける方法の実施形態を描くフローチャートである。
【図５】ワイヤレス通信ネットワークにおける送信ノード、干渉ノードおよび受信ノードの実施形態による、異なるタイミング条件の図である。
【図６】送信ノードの実施形態を描くブロック図である。
【図７】干渉ノードの実施形態を描くブロック図である。
【図８】受信ノードの実施形態を描くブロック図である。
【発明を実施するための形態】
【００２１】
図は、概略であり、明快のために簡略化されており、それらは本明細書で提示される実施形態の理解に必須である詳細を示すにすぎず、他の詳細は除外されている。全体を通して、同じ参照番号は、同等のまたは対応する、部分またはステップのために使用される。
【００２２】
図１は、本明細書の実施形態が実装され得るワイヤレス通信ネットワーク１００の一例を示す。図１中のワイヤレス通信ネットワーク１００は、２つのワイヤレスローカルエリアネットワーク（ＷＬＡＮ）、すなわち、第１のＷＬＡＮ１３５および第２のＷＬＡＮ１３６を備える。これは例示のためにすぎないことと、任意の数のＷＬＡＮがワイヤレス通信ネットワーク１００において備えられ得ることとに留意されたい。
【００２３】
第１のＷＬＡＮ１３５および第２のＷＬＡＮ１３６は、各々、ＷＬＡＮカバレッジを与えるように設定された１つまたは複数のアクセスポイント（ＡＰ）を備え、それらのそれぞれのカバレッジエリアまたはセル内に位置する局（ＳＴＡ）をサーブする。たとえば、第１のＷＬＡＮ１３５は第１のＡＰ１１０を備え得、第２のＷＬＡＮ１３６は第２のＡＰ１１１を備え得る。第１のＡＰ１１０および第２のＡＰ１１１は、ＷＬＡＮカバレッジを与えるように設定され、図１中で破線エリアによって示されているように、それぞれ、それらのカバレッジエリアまたはセル内に位置する局（ＳＴＡ）をサーブし得る。第１のＷＬＡＮ１３５および第２のＷＬＡＮ１３６は、規格化されたＩＥＥＥ８０２．１１  ＷＬＡＮであり得る。
【００２４】
いくつかの場合には、第１のＷＬＡＮ１３５の第１のＡＰ１１０および／または第２のＷＬＡＮ１３６の第２のＡＰ１１１は、セルラー送信リソースにわたってＳＴＡ１２１、１２２に無線カバレッジをさらに与える、セルラー、ワイヤレスまたは無線通信システムの一部を形成する、ネットワークノードまたは基地局でもあり得る。そのようなセルラー、ワイヤレスまたは無線通信システムの例は、たとえば、ＬＴＥ、ＬＴＥアドバンスト、広帯域符号分割多元接続（ＷＣＤＭＡ）、モバイル通信用グローバルシステム／ＧＳＭ進化型高速データレート（ＧＳＭ／ＥＤＧＥ：Ｇｌｏｂａｌ  Ｓｙｓｔｅｍ  ｆｏｒ  Ｍｏｂｉｌｅ  ｃｏｍｍｕｎｉｃａｔｉｏｎｓ／Ｅｎｈａｎｃｅｄ  Ｄａｔａ  ｒａｔｅ  ｆｏｒ  ＧＳＭ  Ｅｖｏｌｕｔｉｏｎ）、ワールドワイドインターオペラビリティフォーマイクロウェーブアクセス（ＷｉＭａｘ）、ウルトラモバイルブロードバンド（ＵＭＢ）またはＧＳＭネットワーク、あるいは他のセルラーネットワークまたはシステムである。ここで、ネットワークノードまたは基地局は、たとえば、ｅＮＢ、ｅノードＢ、またはホームノードＢ、ホームｅノードＢ、フェムト基地局（ＢＳ）、ピコＢＳ、あるいはワイヤレス通信ネットワーク１００においてセルラー送信リソース上でワイヤレスデバイスまたはＳＴＡをサーブすることが可能な任意の他のネットワークユニットであり得る。ネットワークノード１１０は、たとえば、無線基地局、基地局コントローラ、ネットワークコントローラ、リレーノード、リピータ、超高密度ネットワーク／ソフトウェア定義ネットワーク（ＵＤＮ／ＳＤＮ：Ｕｌｔｒａ−Ｄｅｎｓｅ  Ｎｅｔｗｏｒｋ／Ｓｏｆｔｗａｒｅ−Ｄｅｆｉｎｅｄ  Ｎｅｔｗｏｒｋ）無線アクセスノード、リモートラジオユニット（ＲＲＵ）またはリモート無線ヘッド（ＲＲＨ）でもあり得る。これは、第１のＷＬＡＮ１３５の第１のＡＰ１１０および／または第２のＷＬＡＮ１３６の第２のＡＰ１１１が、たとえば、ＷＬＡＮのために使用される未ライセンス周波数スペクトル規約を使用することなど、同じ周波数の競合ベース送信リソースを使用するようにさらに設定された、ネットワークノードまたは基地局であり得ることを意味する。いくつかの例は、ＬＡＡ−ＬＴＥ、または未ライセンスＬＴＥ（ＬＴＥ−Ｕ：ＬＴＥ  Ｕｎｌｉｃｅｎｓｅｄ）とも呼ばれる、ＬＴＥにおけるライセンス支援型アクセス（ＬＡＡ：Ｌｉｃｅｎｓｅ  Ａｓｓｉｓｔｅｄ  Ａｃｃｅｓｓ）を備え得る。未ライセンススペクトルは、共有され、分散され、特定のタイプのスケジュールされたワイヤレスまたは無線通信に対してライセンスを与えられていない、未ライセンス周波数帯域と呼ばれることもある。
【００２５】
図１に示されている例示的なシナリオでは、第１のＳＴＡ１２１は、第１のＷＬＡＮ１３５と第２のＷＬＡＮ１３６とのカバレッジエリアまたはセルの重複エリア中にある。また、第２のＳＴＡ１２２は、第２のＷＬＡＮ１３６のセル中にある。ＳＴＡ１２１、１２２は、たとえば、ＷＬＡＮを介した通信が可能な任意の種類の局またはワイヤレスデバイスであり得る。たとえば、ＳＴＡ１２１、１２２は、モバイルフォン、セルラーフォン、携帯情報端末（ＰＤＡ）、スマートフォン、タブレット、ワイヤレス通信能力をもつセンサーまたはアクチュエータ、ワイヤレスデバイスに接続されたまたはワイヤレスデバイスを装備したセンサーまたはアクチュエータ、マシンデバイス（ＭＤ：Ｍａｃｈｉｎｅ  Ｄｅｖｉｃｅ）、マシンタイプ通信（ＭＴＣ）デバイス、マシンツーマシン（Ｍ２Ｍ）通信デバイス、Ｄ２Ｄ能力をもつワイヤレスデバイス、顧客構内機器（ＣＰＥ：Ｃｕｓｔｏｍｅｒ−Ｐｒｅｍｉｓｅｓ  Ｅｑｕｉｐｍｅｎｔ）、ラップトップ搭載機器（ＬＭＥ：Ｌａｐｔｏｐ−Ｍｏｕｎｔｅｄ  Ｅｑｕｉｐｍｅｎｔ）、ラップトップ埋込み機器（ＬＥＥ：Ｌａｐｔｏｐ−Ｅｍｂｅｄｄｅｄ  Ｅｑｕｉｐｍｅｎｔ）などであり得る。図１に示されている例示的なシナリオでは、第１のＳＴＡ１２１は、第１のＷＬＡＮ１３５の第１のＡＰ１１０とともに第１の基本サービスセット（ＢＳＳ：Ｂａｓｉｃ  Ｓｅｒｖｉｃｅ  Ｓｅｔ）の一部を形成すると言われることがある。また、第２のＳＴＡ１２２は、第２のＷＬＡＮ１３６の第２のＡＰ１１１とともに第２の基本サービスセット（ＢＳＳ）の一部を形成すると言われることがある。さらに、重複カバレッジエリアまたはセルにより、第１のＷＬＡＮ１３５と第２のＷＬＡＮ１３６とは、重複ＢＳＳ（ＯＢＳＳ）を形成すると言われることもある。
【００２６】
その上、図１に示されている例示的なシナリオでは、第１のＡＰ１１０は、第１のＷＬＡＮ１３５において第１のＳＴＡ１２１へのダウンリンク送信を実施する。同時に、第２のＡＰ１１１は、第２のＷＬＡＮ１３６において第２のＳＴＡ１２２へのダウンリンク送信を実施し、これは、第１のＳＴＡ１２１において干渉を引き起こす。これは、第１のＡＰ１１０からのダウンリンク送信のデータパケットを失わせる、すなわち、データパケットが第１のＳＴＡ１２１によって正しく復号されることを可能にさせないことがある。しかしながら、以下の実施形態が、図１に示されている例示的なシナリオを参照しながら説明され得るが、これは、本明細書の実施形態に対する限定として解釈されるべきではなく、例示の目的でなされる一例にすぎないとして解釈されるべきであることに留意されたい。
【００２７】
本明細書で説明される実施形態の場合、送信ノード、干渉ノードまたは受信ノードのいずれか１つを参照するとき、ワイヤレス通信ネットワーク１００における第１のＳＴＡ１２１、第２のＳＴＡ１２２、第１のＡＰ１１０または第２のＡＰ１１１のいずれか１つが対象とされ得ることに留意されたい。しかしながら、簡単のために、および図１に示されている例示的なシナリオに対応して、送信ノードは第１のＡＰ１１０によって例証され、干渉ノードは第２のＡＰ１１１によって例証され、受信ノードは第１のＳＴＡ１２１によって例証される。
【００２８】
次に、ワイヤレス通信ネットワーク１００において干渉を低減するために送信ノード１１０によって実施される方法の実施形態の例が、図２に描かれたフローチャートを参照しながら説明される。図２は、ワイヤレス通信ネットワーク１００においてデータを送信している、第１のＳＴＡ１２１および第２のＳＴＡ１２２、または第１のＡＰ１１０および第２のＡＰ１１１のいずれか１つによってとられ得る、アクションまたは動作の例示される例である。方法は以下のアクションを備え得る。
【００２９】
アクション２０１
送信ノード１１０は、送信ノード１１０からの送信信号に対して干渉ノード１１１によって引き起こされた干渉が、ワイヤレス通信ネットワーク１００における受信ノード１２１における送信信号の受信に関するタイミング条件を満たすことを示す情報を受信する。これは、送信ノード１１０が、ワイヤレス通信ネットワーク１００における受信ノード１２１におけるパケットロスを干渉がどのように引き起こすかを気づかされ得ることを意味する。
【００３０】
その情報は、受信ノード１２１からの報告メッセージ中で送信ノード１１０によって受信され得る。報告メッセージは、たとえば、受信ノード１２１から送信された、新しい専用の管理、制御またはアクションフレームを介して伝達され得るか、またはワイヤレス通信ネットワーク１００における受信ノード１２１からの既存の管理フレームを介して伝達され得る。随意に、報告メッセージは、受信ノード１２１から送信ノード１１０へのデータ送信のＭＡＣヘッダ中に備えられることによって伝達され得る。また、受信ノード１２１からの報告メッセージは、必ずしも受信ノード１２１から直接、送信ノード１１０によって受信されるとは限らないが、たとえば、ワイヤレス通信ネットワーク１００における別のＳＴＡ、ＡＰまたは他のノードを介して中継され得ることに留意されたい。
【００３１】
いくつかの実施形態では、タイミング条件は、受信ノード１２１において送信信号の受信よりも前に干渉が受信されたこと、または受信ノード１２１において送信信号の受信と同時に干渉が受信されたこと、または受信ノード１２１において送信信号の受信よりも後に干渉が受信されたことであり得る。これは、全体的干渉を低減するために、ワイヤレス通信ネットワーク１００において空間再利用パラメータを調整するために異なるアクションをとるために十分なグラニュラリティを、受信された干渉の特徴づけに与え得る。言い換えれば、タイミング条件は、送信信号が受信ノード１２１によって受信された時点と、干渉が受信ノード１２１によって受信された時点との間の関係として規定され得る。
【００３２】
いくつかの実施形態によれば、送信ノード１１０によって受信された情報は、受信ノード１２１における受信された干渉についての異なるタイミング条件の発生について受信ノード１２１によって収集された統計値を備え得る。この場合、送信ノード１１０は、これらの統計値から、特定のタイミング条件が最も優勢であるか否か、すなわち、他のタイミング条件よりも相対的により頻繁に発生しているか否かを識別し得る。代替的に、送信ノード１１０によって受信された情報は、どのタイミング条件が最も優勢であるかの指示を備え得る。そのような指示の一例は、各識別されたタイミング条件を表すために使用される１ビットフラグであり得、すなわち、特定のタイミング条件が受信ノード１２１によって最も優勢なものとして識別されたとき、フラグは真にセットされ得る。
【００３３】
アクション２０２
アクション２０１において情報を受信した後に、送信ノード１１０は、受信された情報に基づいて送信ノード１１０における１つまたは複数の送信パラメータを調整する。これは、ワイヤレス通信ネットワーク１００における受信ノード１２１におけるパケットロスを干渉がどのように引き起こすかについて通知されることによって、受信ノード１２１が受けた干渉を低減するために、送信ノード１１０は、その空間再利用パラメータを調整し得ることを意味する。
【００３４】
いくつかの実施形態では、タイミング条件が、受信ノード１２１において送信信号よりも前に干渉が受信されたことを示すとき、送信ノード１１０は、送信ノード１１０におけるチャネル検知しきい値を減少させ得る。これは、干渉の存在下での送信を回避するために実施され得る。たとえば、送信ノード１１０は、検知しきい値、たとえばクリアチャネルアセスメント（ＣＣＡ）しきい値が、受信ノード１２１に送信された送信信号のために増加されたかどうかを検査し得る。受信ノード１２１に送信された送信信号のために増加された場合、送信ノード１１０は、検知しきい値を減少させ得る。代替または追加として、タイミング条件が、受信ノード１２１において送信信号よりも前に干渉が受信されたことを示すとき、送信ノード１１０はまた、送信ノード１１０から送信される送信信号の送信電力を増加させ得る。これは、受信ノード１２１におけるＳＩＮＲを増加させるために実施され得る。
【００３５】
いくつかの実施形態では、タイミング条件が、受信ノード１２１において送信の受信よりも後に干渉が受信されたことを示すとき、送信ノード１１０は、ワイヤレス通信ネットワーク１００においてリクエストツートランスミット／クリアツートランスミット（ＲＴＳ／ＣＴＳ）プロシージャを開始し得る。これは、ワイヤレス通信ネットワーク１００において潜在的隠れノード問題を回避するために実施され得る。代替または追加として、タイミング条件が、受信ノード１２１において送信の受信よりも後に干渉が受信されたことを示すとき、送信ノード１１０は、送信ノード１１０からの送信信号の送信電力を増加させ得る。これは、受信ノード１２１におけるＳＩＮＲを増加させるために実施され得る。
【００３６】
いくつかの実施形態では、タイミング条件が、受信ノード１２１において送信信号の受信と同時に干渉が受信されたことを示すとき、送信ノード１１０は、送信ノード１１０における競合ウィンドウサイズを、たとえば、その競合ウィンドウのサイズを２倍にすることによって増加させ得る。競合ウィンドウ（ＣＷ）サイズは、送信ノード１１０における可能なランダムバックオフ期間を制御するのに役立つ。これは、ワイヤレス通信ネットワーク１００において送信の衝突可能性を低減するために実施され得る。
【００３７】
いくつかの実施形態では、送信ノード１１０はまた、受信ノード１２１から、たとえば別の隣接ＢＳＳにおける干渉ノード１１１に、報告メッセージを送信またはフォワーディングするように設定され得る。これは、送信ノード１１０と干渉ノード１１１との間のワイヤードまたは無線リンクを使用することによって実施され得る。代替的に、送信ノード１１０は、送信ノード１１０と干渉ノード１１１との間のリレーとして、たとえば図１中の第２のＳＴＡ１２２など、別のノードを使用し得る。送信ノード１１０は、たとえば、干渉のプリアンブルを復号することによって干渉ノード１１１の識別情報を決定し得る。
【００３８】
次に、ワイヤレス通信ネットワーク１００において干渉を低減するために干渉ノード１１１によって実施される方法の実施形態の例が、図３に描かれたフローチャートを参照しながら説明される。図３は、ワイヤレス通信ネットワーク１００において送信への干渉を引き起こしている、ＳＴＡ１２１、ＡＰ１１０、またはＡＰ１１１のいずれか１つによってとられ得る、アクションまたは動作の例示される例である。方法は以下のアクションを備え得る。
【００３９】
アクション３０１
干渉ノード１１１は、送信ノード１１０からの送信信号に対して干渉ノード１１１によって引き起こされた干渉が、ワイヤレス通信ネットワーク１００における受信ノード１２１における送信信号の受信に関するタイミング条件を満たすことを示す情報を受信する。これは、干渉ノード１１１が、ワイヤレス通信ネットワーク１００における受信ノード１２１におけるパケットロスを、干渉ノード１１１の送信が引き起こしていることを気づかされ得ることを意味する。
【００４０】
その情報は、受信ノード１２１からの報告メッセージ中で干渉ノード１１１によって受信され得る。報告メッセージは、たとえば、受信ノード１２１から送信された、新しい専用の管理、制御またはアクションフレームを介して伝達され得るか、またはワイヤレス通信ネットワーク１００における受信ノード１２１からの既存の管理フレームを介して伝達され得る。随意に、報告メッセージは、受信ノード１２１から干渉ノード１１１へのデータ送信のＭＡＣヘッダ中に備えられることによって伝達され得る。また、受信ノード１２１からの報告メッセージは、必ずしも受信ノード１２１から直接、干渉ノード１１１によって受信されるとは限らないが、たとえば、ワイヤレス通信ネットワーク１００における別のＳＴＡ、ＡＰまたは他のノードを介して中継され得ることに留意されたい。
【００４１】
いくつかの実施形態では、タイミング条件は、受信ノード１２１において送信信号の受信よりも前に干渉が受信されたこと、または受信ノード１２１において送信信号の受信と同時に干渉が受信されたこと、または受信ノード１２１において送信信号の受信よりも後に干渉が受信されたことであり得る。これは、全体的干渉を低減するために、ワイヤレス通信ネットワーク１００において空間再利用パラメータを調整するために異なるアクションをとるために十分なグラニュラリティを、受信された干渉の特徴づけに与え得る。言い換えれば、タイミング条件は、送信信号が受信ノード１２１によって受信された時点と、干渉が受信ノード１２１によって受信された時点との間の関係として規定され得る。
【００４２】
いくつかの実施形態によれば、干渉ノード１１１によって受信された情報は、受信ノード１２１における受信された干渉についての異なるタイミング条件の発生について受信ノード１２１によって収集された統計値を備え得る。この場合、干渉ノード１１１は、これらの統計値から、特定のタイミング条件が最も優勢であるか否か、すなわち、他のタイミング条件よりも相対的により頻繁に発生しているか否かを識別し得る。代替的に、干渉ノード１１１によって受信された情報は、どのタイミング条件が最も優勢であるかの指示を備え得る。そのような指示の一例は、各識別されたタイミング条件を表すために使用される１ビットフラグであり得、すなわち、特定のタイミング条件が受信ノード１２１によって最も優勢なものとして識別されたとき、フラグは真にセットされ得る。
【００４３】
アクション３０２
アクション３０１における受信の後に、干渉ノード１１１は、受信された情報に基づいて干渉ノード１１１における１つまたは複数の送信パラメータを調整する。これは、ワイヤレス通信ネットワーク１００における受信ノード１２１におけるパケットロスを干渉がどのように引き起こすかについて通知されることによって、受信ノード１２１が受けた干渉を低減するために、干渉ノード１１１は、その空間再利用パラメータを調整し得ることを意味する。
【００４４】
いくつかの実施形態では、タイミング条件が、受信ノード１２１において送信信号よりも前に干渉が受信されたことを示すとき、干渉ノード１１１は、ワイヤレス通信ネットワーク１００においてリクエストツートランスミット／クリアツートランスミット（ＲＴＳ／ＣＴＳ）プロシージャを開始し得る。これは、ワイヤレス通信ネットワーク１００において潜在的隠れノード問題を回避するために実施され得る。代替または追加として、タイミング条件が、受信ノード１２１において送信信号よりも前に干渉が受信されたことを示すとき、干渉ノード１１１は、干渉ノード１１１からの送信信号の送信電力を減少させ得る。これは、受信ノード１２１におけるＳＩＮＲを増加させるために実施され得る。
【００４５】
いくつかの実施形態では、タイミング条件が、受信ノード１２１において送信の受信よりも後に干渉が受信されたことを示すとき、干渉ノード１１１は、チャネル検知しきい値を減少させ得る。これは、ワイヤレス通信ネットワーク１００において他の送信に対する干渉を作り出すことを回避するために実施され得る。たとえば、干渉ノード１１１は、検知しきい値、たとえばクリアチャネルアセスメント（ＣＣＡ）しきい値が、受信ノード１２１に送信された送信信号のために増加されたかどうかを検査し得る。受信ノード１２１に送信された送信信号のために増加された場合、干渉ノード１１１は、検知しきい値を減少させ得る。代替または追加として、タイミング条件が、受信ノード１２１において送信の受信よりも後に干渉が受信されたことを示すとき、干渉ノード１１１は、干渉ノード１１１からの送信信号の送信電力を減少させ得る。これは、受信ノード１２１におけるＳＩＮＲを増加させるために実施され得る。
【００４６】
いくつかの実施形態では、タイミング条件が、受信ノード１２１において送信信号の受信と同時に干渉が受信されたことを示すとき、干渉ノード１１１は、干渉ノード１１１における競合ウィンドウサイズを、たとえば、その競合ウィンドウのサイズを２倍にすることによって増加させ得る。競合ウィンドウ（ＣＷ）サイズは、干渉ノード１１１における可能なランダムバックオフ期間を制御するのに役立つ。これは、ワイヤレス通信ネットワーク１００において送信の衝突可能性を低減するために実施され得る。
【００４７】
次に、ワイヤレス通信ネットワーク１００において干渉を低減するために受信ノード１２１によって実施される方法の実施形態の例が、図４に描かれたフローチャートを参照しながら説明される。図４は、ワイヤレス通信ネットワーク１００においてデータを受信している、ＳＴＡ１２１、ＡＰ１１０、またはＡＰ１１１のいずれか１つによってとられ得る、アクションまたは動作の例示される例である。方法は以下のアクションを備え得る。
【００４８】
アクション４０１
受信ノード１２１は、送信ノード１１０からの送信信号に対して干渉ノード１１１によって引き起こされた干渉が、受信ノード１２１における送信信号の受信に関するタイミング条件を満たすことを示す情報を決定する。これは、受信ノード１２１が、受信ノード１２１におけるパケットロスを干渉がどのように引き起こすかを決定し得ることを意味する。
【００４９】
いくつかの実施形態では、タイミング条件は、受信ノード１２１において送信信号の受信よりも前に干渉が受信されたこと、または受信ノード１２１において送信信号の受信と同時に干渉が受信されたこと、または受信ノード１２１において送信信号の受信よりも後に干渉が受信されたことであり得る。これは、全体的干渉を低減するために、ワイヤレス通信ネットワーク１００において空間再利用パラメータを調整するために異なるアクションをとるために十分なグラニュラリティを、受信された干渉の特徴づけに与え得る。言い換えれば、タイミング条件は、送信信号が受信ノード１２１によって受信された時点と、干渉が受信ノード１２１によって受信された時点との間の関係として規定され得る。
【００５０】
いくつかの実施形態では、受信ノード１２１は、受信された干渉についてのタイミング条件の発生についての更新された統計値を維持および保持し得る。たとえば、タイミング条件ごとの発生回数を記録するために、１つのカウンタが各タイミング条件に関連付けられ得る。統計値が収集される時間期間が、受信ノード１２１において規定され得る。カウンタは、たとえば、異なるタイミング条件間の発生の相対分布を与えるために正規化され得る。
【００５１】
いくつかの実施形態では、受信ノード１２１において送信信号の受信よりも前に干渉が受信されたというタイミング条件は、送信信号のほとんどのデータユニットが、受信ノード１２１によって間違って復号された、送信信号のプリアンブルの後に発生するデータユニットの最初のデータペイロードユニットを少なくとも有すると同時に、受信ノード１２１によって正しく復号された、送信信号のプリアンブルの後に発生するデータユニットの最後のデータペイロードユニットをも少なくとも有するとき、満たされると見なされ得る。また、いくつかの実施形態では、受信ノード１２１において送信信号の受信よりも後に干渉が受信されたというタイミング条件は、送信信号のほとんどのデータユニットが、受信ノード１２１によって正しく復号された、送信信号のプリアンブルの後に発生するデータユニットの最初のデータペイロードユニットを少なくとも有すると同時に、受信ノード１２１によって間違って復号された、送信信号のプリアンブルの後に発生するデータユニットの最後のデータペイロードユニットをも少なくとも有するとき、満たされると見なされる。その上、受信ノード１２１において送信信号の受信と同時に干渉が受信されたというタイミング条件は、送信信号のほとんどのデータユニットが、受信ノード１２１によって間違って復号された、送信信号のプリアンブルの後に発生するデータユニットの最初のデータペイロードユニットを少なくとも有すると同時に、送信信号の受信信号強度が、受信ノード１２１において、決定されたしきい値を上回るとき、満たされると見なされる。これは、受信ノード１２１が、受信ノード１２１におけるプリアンブルとデータペイロードユニットの復号エラーとのパターンに基づいてタイミング条件を識別し得ることを意味する。これはまた、図５に示されている例を参照しながら以下で説明される。
【００５２】
干渉の存在下で、送信信号のプリアンブルが後続のデータペイロードユニットよりも受信ノード１２１によって正しく復号される、より高い確率があることに留意されたい。これは、プリアンブルが、普通、そのロバストネスを最大にするために、最低変調符号化方式（ＭＣＳ）を用いてコーディングされるからである。しかしながら、データペイロードユニットのＭＣＳは、通常、リンク適応（ＬＡ：Ｌｉｎｋ  Ａｄａｐｔａｔｉｏｎ）によって決められる。しばしば、ＬＡアルゴリズムは、受信ノード１２１における履歴復号統計値、または受信ノード１２１から受信されたフィードバックのいずれかに依拠する。干渉が時間的に極めて動的であるとき、ＬＡアルゴリズムは、しばしば、送信のための最適なＭＣＳを見つける厳しい時間を有する。それゆえ、受信ノード１２１においてプリアンブルの後に受信されたデータペイロードユニットは、干渉の存在下で、間違って復号され、失われることがある。
【００５３】
いくつかの実施形態では、送信信号のデータユニットは、ＷＬＡＮ  ＰＬＣＰパケットデータユニット（ＷＬＡＮ  ＰＰＤＵ：ＷＬＡＮ  ＰＬＣＰ  ｐａｃｋｅｔ  ｄａｔａ  ｕｎｉｔ）であり得る。この場合、データペイロードユニットは、アグリゲートＭＡＣプロトコルデータユニット（ＡＭＰＤＵ：ａｇｇｒｅｇａｔｅｄ  ＭＡＣ  ｐｒｏｔｏｃｏｌ  ｄａｔａ  ｕｎｉｔ）であり得る。ＷＬＡＮ  ＰＰＤＵ（ＷＬＡＮ  ＰＬＣＰプロトコルデータユニット：ＷＬＡＮ  ＰＬＣＰ  ｐｒｏｔｏｃｏｌ  ｄａｔａ  ｕｎｉｔ）は、典型的に、プリアンブルおよびデータペイロードを備える。フレームアグリゲーションの場合、データペイロードは、いくつかのＭＰＤＵ（ＭＡＣプロトコルデータユニット：ＭＡＣ  ｐｒｏｔｏｃｏｌ  ｄａｔａ  ｕｎｉｔ）を備える、ＡＭＰＤＵ（アグリゲートＭＡＣプロトコルデータユニット：Ａｇｇｒｅｇａｔｅ  ＭＡＣ  ｐｒｏｔｏｃｏｌ  ｄａｔａ  ｕｎｉｔ）であり得る。また、フレームアグリゲーションでない場合、ＷＬＡＮ  ＰＰＤＵが１つのＭＰＤＵのみを含んでいるであろうことに留意されたい。プリアンブルおよびいくつかのアグリゲートされたＭＰＤＵを備える、ＷＬＡＮ  ＰＰＤＵを有する送信信号の例が、図５に示されている。
【００５４】
アクション４０２
アクション４０１における決定することの後に、受信ノード１２１は、干渉ノード１１１におよび／または送信ノード１１０に、決定された情報を送信する。これは、受信ノード１２１が、ワイヤレス通信ネットワーク１００において、受信ノード１２１におけるパケットロスを干渉ノード１１１の送信が引き起こしていることを干渉ノード１１１に気づかせ得ること、および／または受信ノード１２１におけるパケットロスを干渉がどのように引き起こすかを送信ノード１１０に気づかせ得ることを意味する。言い換えれば、受信ノード１２１におけるパケットロスが、送信ノード１１０および／または干渉ノード１１１によるアグレッシブ空間再利用による場合、受信ノード１２１は、干渉を回避するために空間再利用においてより慎重であるようにアグレッシブノードに通知し得る。
【００５５】
その情報は、報告メッセージ中で受信ノード１２１によって送信され得る。報告メッセージは、たとえば、受信ノード１２１から送信された、新しい専用の管理、制御またはアクションフレームを介して伝達され得るか、または既存の管理フレームを介して伝達され得る。随意に、報告メッセージは、受信ノード１２１から送信ノード１１０および／または干渉ノード１１１へのデータ送信のＭＡＣヘッダ中に備えられることによって伝達され得る。また、報告メッセージは、必ずしも送信ノード１１０および／または干渉ノード１１１に直接送信されるとは限らないが、たとえば、ワイヤレス通信ネットワーク１００における別のＳＴＡ、ＡＰまたは他のノードを介して中継され得ることに留意されたい。
【００５６】
その上、報告メッセージの送信はまた、受信ノード１２１において、イベントトリガ型であるか、または周期的に送信され得る。たとえば、いくつかの実施形態では、しきい値が受信ノード１２１において決定され得、その結果、タイミング条件の統計値カウンタおよび／または相対発生が、決定されたしきい値に等しいかまたはそれよりも大きくなると、報告メッセージが送られる。別の例によれば、周期タイマーが受信ノード１２１において設定され得、その結果、周期タイマーが満了するときに報告メッセージが送られる。
【００５７】
いくつかの実施形態では、報告メッセージが、同じＢＳＳ、たとえば図１中の第１のＷＬＡＮ１３５内の送信ノード１１０に送られるべきである場合、報告メッセージを伝達するために、管理フレーム交換プロシージャが受信ノード１２１によって適用され得る。いくつかの実施形態では、報告メッセージが、別の隣接ＢＳＳ、たとえば図１中の第２のＷＬＡＮ１３６における干渉ノード１１１に送られるべきである場合、受信ノード１１０は、他の隣接ＢＳＳおよび干渉ノード１１１に報告メッセージをブロードキャストし得る。いくつかの実施形態では、受信ノード１２１はまた、送信ノード１１０および／または干渉ノード１１１に報告メッセージを中継するために、共通管理エンティティ、たとえばＡＣを使用し得る。
【００５８】
いくつかの実施形態によれば、受信ノード１２１によって送信された情報は、アクション４０１において上記で説明されたように統計値を備え得る。代替的に、受信ノード１２１によって送信された情報は、どのタイミング条件が最も優勢であるか、すなわち、他のタイミング条件よりも相対的により頻繁に発生しているかの指示を備え得る。そのような指示の一例は、各識別されたタイミング条件を表すために使用される１ビットフラグであり得、すなわち、特定のタイミング条件が受信ノード１２１によって最も優勢なものとして識別されたとき、フラグは真にセットされ得る。
【００５９】
図５は、送信ノード１１０、干渉ノード１１１、および受信ノード１２１の実施形態による、タイミング条件の一例の図を示す。最初に、既存のＷＬＡＮ規格によれば、進行中の送信信号が検出され、これは送信信号のプリアンブルを正しく復号することによって実施され得、かつ、受信された送信信号電力が、検知しきい値、たとえばＣＣＡＴを上回る場合、ＷＬＡＮノードは、チャネルにアクセスすることから譲歩するべきであることを思い出されたい。空間再利用を増加させるためにＷＬＡＮノードがその検知しきい値を上げることが可能であり得るが、これは、ＷＬＡＮにおける高干渉により復号エラーの確率をも増加させ得る。この問題点を解決するために、送信ノード１１０、干渉ノード１１１、および受信ノード１２１は、送信信号と干渉信号との受信された順序に依存する３つの異なるタイミング条件を識別し得る。
【００６０】
第１のタイミング条件によれば、図５の上部によって例示されているように、干渉ノード１１１からの干渉信号は、受信ノード１２１において送信ノード１１０からの送信信号の前に受信される。干渉ノード１１１からの干渉信号は、時間ｔ０において受信され、送信ノード１１０からの送信信号は、時間ｔ１において受信される。このタイミング条件は、送信ノード１１０が、干渉ノード１１１からの干渉信号に基づいてチャネルアクセスから譲歩しないことを暗示する。これは、送信ノード１１０における干渉信号の受信信号強度が送信ノード１１０において設定された検知しきい値よりも小さいときに、または干渉信号が送信ノード１１０によってまったく検出されないときに、発生し得る。
【００６１】
第１のタイミング条件は、最初に、送信信号が受信されたときに進行中の干渉があるかどうかを検査することよって、受信ノード１２１によって検出され得る。いくつかの実施形態では、干渉は、受信ノード１２１がそのＮＡＶタイマーステータスを検査することによって検出され得る。受信ノード１２１のＮＡＶタイマーが動いており、そのＮＡＶタイマーがＯＢＳＳ送信信号によってセットされていた場合、進行中の干渉信号が検出される。いくつかの実施形態では、そのようなＯＢＳＳ送信信号は、ＰＨＹヘッダ中の色フィールドを検査することによって、受信ノード１２１によって識別され得る。随意に、いくつかの実施形態では、ＢＳＳ−ＩＤおよびＡＩＤ値に関する情報を与える、部分ＡＩＤフィールドのＰＨＹヘッダが、受信ノード１２１によって復号され得る。読取りＢＳＳ−ＩＤ値が、送信ノード１１０または受信ノード１２１ノード自体のＢＳＳ−ＩＤと同等である場合、検出信号は、受信ノード１２１によってＯＢＳＳ送信信号として規定され得る。干渉信号が検出されると、受信ノード１２１は、最初の１つまたは数個の連続するＭＰＤＵの復号エラーを検査し得、最初の１つまたは数個の連続するＭＰＤＵが正しく復号されない場合、干渉信号が復号エラーの原因であり得、第１のタイミング条件が受信ノード１２１によって検出され得る。
【００６２】
第２のタイミング条件によれば、図５の中間部によって例示されているように、送信ノード１１０からの送信信号は、受信ノード１２１において干渉ノード１１１からの干渉信号の前に受信される。送信ノード１１０からの送信信号は、時間ｔ０において受信され、干渉ノード１１１からの干渉信号は、時間ｔ１において受信される。このタイミング条件は、干渉ノード１１１が、送信ノード１１０からの送信信号に基づいてチャネルアクセスから譲歩しないことを暗示する。これは、干渉ノード１１１における送信信号の受信信号強度が干渉ノード１１１において設定された検知しきい値よりも小さいときに、または送信信号が干渉ノード１１１によってまったく検出されないときに、発生し得る。
【００６３】
送信信号が受信されたときに進行中の干渉がない場合、第２のタイミング条件が受信ノード１２１によって検出され得る。これは、受信ノード１２１が、最初の１つまたは数個の連続するＭＰＤＵの復号エラーを検査することによって実施され得、最初の１つまたは数個の連続するＭＰＤＵが正しく復号され、最後の１つまたは数個の連続するＭＰＤＵが間違って復号された場合、干渉信号が復号エラーの原因であり得、第２のタイミング条件が受信ノード１２１によって検出され得る。
【００６４】
第３のタイミング条件によれば、図５の下部によって例示されているように、送信ノード１１０からの送信信号は、受信ノード１２１において干渉ノード１１１からの干渉信号と同時に受信される。送信ノード１１０からの送信信号と干渉ノード１１１からの干渉信号とは両方とも、時間ｔ０において受信される。このタイミング条件は、送信ノード１１０からの送信信号と干渉ノード１１１からの干渉信号との間の衝突を示す。これは、送信ノード１１０と干渉ノード１１１とが、バックオフについて同じ乱数を引き出したことを暗示する。しかしながら、これは、干渉ノード１１１が同じＢＳＳ、たとえばＷＬＡＮ１３５中の別のＳＴＡからのものである場合も発生し得る。
【００６５】
受信ノード１２１が最初の１つまたは数個の連続するＭＰＤＵの復号エラーを検査したとき、最初の１つまたは数個の連続するＭＰＤＵが失われた場合、第３のタイミング条件も受信ノード１２１によって検出され得る。いくつかの実施形態では、受信ノード１２１は、復号エラーが低い信号強度によるのか高干渉によるのかを識別し得る。いくつかの実施形態では、送信信号のＲＳＳＩ（受信信号強度インジケータ：Ｒｅｃｅｉｖｅｄ  Ｓｉｇｎａｌ  Ｓｔｒｅｎｇｔｈ  Ｉｎｄｉｃａｔｏｒ）が、受信ノード１２１によって検査され得、たとえば、所与のＳＩＮＲ、ＭＣＳなどについての予期されたパケット復号誤り率に基づいて、ＲＳＳＩレベルが、データペイロードユニットを復号することが可能であるために十分に高いと見なされた場合、復号エラーは高干渉によると、受信ノード１２１によって決定され得る。したがって、復号エラーが干渉信号によって引き起こされたと見なされた場合、第３のタイミング条件、すなわち衝突が、受信ノード１２１によって検出され得る。いくつかの実施形態では、ＲＣＰＩ（受信チャネル電力インジケータ：Ｒｅｃｅｉｖｅｄ  Ｃｈａｎｎｅｌ  Ｐｏｗｅｒ  Ｉｎｄｉｃａｔｏｒ）が、ＲＳＳＩの代わりに受信ノード１２１によって使用され得る。
【００６６】
また、ＡＭＰＤＵ、すなわちＭＰＤＵアグリゲーションがワイヤレス通信ネットワーク１００において使用されない場合、各ＷＬＡＮ  ＰＰＤＵが１つのＭＰＤＵを備えるにすぎないことに留意されたい。これは、第３のタイミング条件のみが、この場合、受信ノード１２１によって検出されることが可能となることを意味する。
【００６７】
ワイヤレス通信ネットワーク１００において干渉を低減するための送信ノード１１０における方法アクションを実施するために、送信ノード１１０は、図６に描かれた以下の構成を備え得る。図６は、送信ノード１１０の実施形態の概略ブロック図を示す。
【００６８】
送信ノード１１０は、処理回路６１０と、メモリ６２０と、少なくとも１つのアンテナ（図示せず）とを備え得る。処理回路６１０は、受信モジュール６１１と送信モジュール６１２とを備え得る。受信モジュール６１１および送信モジュール６１２は、無線周波数（ＲＦ）回路とベースバンド処理回路とを備え得る。受信モジュール６１１および送信モジュール６１２はまた、トランシーバの一部を形成し得る。特定の実施形態では、送信ノード１１０によって実施されるものとして上記で説明された機能性の一部または全部は、図６に示されているメモリ６２０など、コンピュータ可読媒体に記憶された命令を実行する処理回路６１０によって与えられ得る。ワイヤレスデバイス１２１の代替実施形態は、本明細書で説明される実施形態をサポートするのに必要なワイヤレスデバイス１２１の機能性を提供することを担当する、調整モジュール６１３など、追加の構成要素を備え得る。
【００６９】
送信ノード１１０または処理回路６１０は、送信ノード１１０からの送信信号に対して干渉ノード１１１によって引き起こされた干渉が、ワイヤレス通信ネットワーク１００における受信ノード１２１における送信信号の受信に関するタイミング条件を満たすことを示す情報を受信するように設定されるか、またはそのように設定された受信モジュール６１１を備え得る。送信ノード１１０または処理回路６１０はまた、受信された情報に基づいて送信ノード１１０における１つまたは複数の送信パラメータを調整するように設定されるか、またはそのように設定された調整モジュール６１１を備え得る。
【００７０】
いくつかの実施形態では、タイミング条件は、受信ノード１２１において送信信号の受信よりも前に干渉が受信されたことである。随意に、タイミング条件は、受信ノード１２１において送信信号の受信と同時に干渉が受信されたこと、または受信ノード１２１において送信信号の受信よりも後に干渉が受信されたことである。
【００７１】
タイミング条件が、受信ノード１２１において送信信号よりも前に干渉が受信されたことを示すとき、送信ノード１１０または処理回路６１０は、チャネル検知しきい値を減少させることによって、および／または送信ノード１１０からの送信信号の送信電力を増加させることによって、１つまたは複数の送信パラメータを調整するように設定され得るか、あるいはそのように設定された調整モジュール６１１を備え得る。随意に、タイミング条件が、受信ノード１２１において送信の受信よりも後に干渉が受信されたことを示すとき、送信ノード１１０または処理回路６１０は、ワイヤレス通信ネットワーク１００においてリクエストツートランスミット／クリアツートランスミット（ＲＴＳ／ＣＴＳ）プロシージャを開始することによって、および／または送信ノード１１０からの送信信号の送信電力を増加させることによって、１つまたは複数の送信パラメータを調整するように設定され得るか、あるいはそのように設定された調整モジュール６１１を備え得る。別のオプションによれば、タイミング条件が、受信ノード１２１において送信信号の受信と同時に干渉が受信されたことを示すとき、送信ノード１１０または処理回路６１０は、送信ノード１１０における競合ウィンドウサイズを増加させることによって、１つまたは複数の送信パラメータを調整するように設定され得るか、またはそのように設定された調整モジュール６１１を備え得る。
【００７２】
ワイヤレス通信ネットワーク１００において干渉を低減するための干渉ノード１１１における方法アクションを実施するために、干渉ノード１１１は、図７に描かれた以下の構成を備え得る。図７は、干渉ノード１１１の実施形態の概略ブロック図を示す。
【００７３】
干渉ノード１１１は、処理回路７１０と、メモリ７２０と、少なくとも１つのアンテナ（図示せず）とを備え得る。処理回路７１０は、受信モジュール７１１と送信モジュール７１２とを備え得る。受信モジュール７１１および送信モジュール７１２は、無線周波数（ＲＦ）回路とベースバンド処理回路とを備え得る。受信モジュール７１１および送信モジュール７１２はまた、トランシーバの一部を形成し得る。特定の実施形態では、干渉ノード１１１によって実施されるものとして上記で説明された機能性の一部または全部は、図７に示されているメモリ７２０など、コンピュータ可読媒体に記憶された命令を実行する処理回路７１０によって与えられ得る。ワイヤレスデバイス１２１の代替実施形態は、本明細書で説明される実施形態をサポートするのに必要なワイヤレスデバイス１２１の機能性を提供することを担当する、調整モジュール７１３など、追加の構成要素を備え得る。
【００７４】
干渉ノード１１１または処理回路７１０は、送信ノード１１０からの送信信号に対して干渉ノード１１１によって引き起こされた干渉が、ワイヤレス通信ネットワーク１００における受信ノード１２１における送信信号の受信に関するタイミング条件を満たすことを示す情報を受信するように設定されるか、またはそのように設定された受信モジュール７１１を備え得る。干渉ノード１１１または処理回路７１０はまた、受信された情報に基づいて干渉ノード１１１における１つまたは複数の送信パラメータを調整するように設定されるか、またはそのように設定された調整モジュール７１１を備え得る。
【００７５】
いくつかの実施形態では、タイミング条件は、受信ノード１２１において送信信号の受信よりも前に干渉が受信されたことである。随意に、タイミング条件は、受信ノード１２１において送信信号の受信と同時に干渉が受信されたこと、または受信ノード１２１において送信信号の受信よりも後に干渉が受信されたことである。
【００７６】
タイミング条件が、受信ノード１２１において送信信号よりも前に干渉が受信されたことを示すとき、干渉ノード１１１または処理回路７１０は、ワイヤレス通信ネットワーク１００においてリクエストツートランスミット／クリアツートランスミット（ＲＴＳ／ＣＴＳ）プロシージャを開始することによって、および／または干渉ノード１１１からの送信信号の送信電力を減少させることによって、１つまたは複数の送信パラメータを調整するように設定され得るか、あるいはそのように設定された調整モジュール７１１を備え得る。随意に、タイミング条件が、受信ノード１２１において送信の受信よりも後に干渉が受信されたことを示すとき、干渉ノード１１１または処理回路７１０は、チャネル検知しきい値を減少させることによって、および／または干渉ノード１１１からの送信信号の送信電力を減少させることによって、１つまたは複数の送信パラメータを調整するように設定され得るか、あるいはそのように設定された調整モジュール７１１を備え得る。別のオプションによれば、タイミング条件が、受信ノード１２１において送信信号の受信と同時に干渉が受信されたことを示すとき、干渉ノード１１１または処理回路７１０は、干渉ノード１１１における競合ウィンドウサイズを増加させることによって、１つまたは複数の送信パラメータを調整するように設定され得るか、またはそのように設定された調整モジュール７１１を備え得る。
【００７７】
ワイヤレス通信ネットワーク１００において干渉を低減するための受信ノード１２１における方法アクションを実施するために、受信ノード１２１は、図８に描かれた以下の構成を備え得る。図８は、受信ノード１２１の実施形態の概略ブロック図を示す。
【００７８】
受信ノード１２１は、処理回路８１０と、メモリ８２０と、少なくとも１つのアンテナ（図示せず）とを備え得る。処理回路８１０は、受信モジュール８１１と送信モジュール８１２とを備え得る。受信モジュール８１１および送信モジュール８１２は、無線周波数（ＲＦ）回路とベースバンド処理回路とを備え得る。受信モジュール８１１および送信モジュール８１２はまた、トランシーバの一部を形成し得る。特定の実施形態では、受信ノード１２１によって実施されるものとして上記で説明された機能性の一部または全部は、図８に示されているメモリ８２０など、コンピュータ可読媒体に記憶された命令を実行する処理回路８１０によって与えられ得る。ワイヤレスデバイス１２１の代替実施形態は、本明細書で説明される実施形態をサポートするのに必要なワイヤレスデバイス１２１の機能性を提供することを担当する、決定モジュール８１３など、追加の構成要素を備え得る。
【００７９】
受信ノード１２１または処理回路８１０は、送信ノード１１０からの送信信号に対して干渉ノード１１１によって引き起こされた干渉が、受信ノード１２１における送信信号の受信に関するタイミング条件を満たすことを示す情報を決定するように設定されるか、またはそのように設定された決定モジュール８１３を備え得る。受信ノード１２１または処理回路８１０はまた、干渉ノード１１１におよび／または送信ノード１１０に、決定された情報を送信するように設定されるか、またはそのように設定された送信モジュール８１２を備え得る。
【００８０】
いくつかの実施形態では、タイミング条件は、受信ノード１２１において送信信号の受信よりも前に干渉が受信されたことである。随意に、タイミング条件は、受信ノード１２１において送信信号の受信と同時に干渉が受信されたこと、または受信ノード１２１において送信信号の受信よりも後に干渉が受信されたことである。
【００８１】
いくつかの実施形態では、受信ノード１２１において送信信号の受信よりも前に干渉が受信されたというタイミング条件は、送信信号のほとんどのデータユニットが、間違って復号された、送信信号のプリアンブルの後に発生するデータユニットの最初のデータペイロードユニットを少なくとも有すると同時に、正しく復号された、送信信号のプリアンブルの後に発生するデータユニットの最後のデータペイロードユニットをも少なくとも有するとき、満たされると見なされ得る。いくつかの実施形態では、受信ノード１２１において送信信号の受信よりも後に干渉が受信されたというタイミング条件は、送信信号のほとんどのデータユニットが、正しく復号された、送信信号のプリアンブルの後に発生するデータユニットの最初のデータペイロードユニットを少なくとも有すると同時に、間違って復号された、送信信号のプリアンブルの後に発生するデータユニットの最後のデータペイロードユニットをも少なくとも有するとき、満たされると見なされる。いくつかの実施形態では、受信ノード１２１において送信信号の受信と同時に干渉が受信されたというタイミング条件は、送信信号のほとんどのデータユニットが、間違って復号された、送信信号のプリアンブルの後に発生するデータユニットの最初のデータペイロードユニットを少なくとも有すると同時に、送信信号の受信信号強度が、決定されたしきい値を上回るとき、満たされると見なされる。
【００８２】
いくつかの実施形態によれば、送信信号のデータユニットは、ＷＬＡＮ  ＰＬＣＰパケットデータユニット（ＷＬＡＮ  ＰＰＤＵ）であり得、データペイロードユニットは、アグリゲートＭＡＣプロトコルデータユニット（ＡＭＰＤＵ）である。その上、いくつかの実施形態では、ワイヤレス通信ネットワーク１００は、未ライセンススペクトルにおいて動作する。
【００８３】
その上、上記で説明されたワイヤレス通信ネットワーク１００において干渉を低減するための実施形態は、本明細書の実施形態の機能およびアクションを実施するためのコンピュータプログラムコードとともに、図６に描かれた送信ノード１１０における処理回路６１０、図７に描かれた干渉ノード１１１における処理回路７１０、および図８に描かれた受信ノード１２１における処理回路８１０など、１つまたは複数のプロセッサを通して実装され得る。上述のプログラムコードはまた、それぞれ、送信ノード１１０における処理回路５１０、干渉ノード１１１における処理回路７１０、または受信ノード１２１における処理回路８１０にロードされたとき、たとえば、本明細書の実施形態を実施するためのコンピュータプログラムコードまたはコード手段を搬送するデータキャリアの形態で、コンピュータプログラム製品として提供され得る。たとえば、コンピュータプログラムコードは、送信ノード１１０、干渉ノード１１１、および受信ノード１２１における、またはサーバ上の、純粋なプログラムコードとして提供され、それぞれ、送信ノード１１０、干渉ノード１１１、および受信ノード１２１にダウンロードされ得る。これにより、いくつかの実施形態では、送信ノード１１０、干渉ノード１１１、および受信ノード１２１のモジュールは、プロセッサ、たとえば図６〜図８の処理モジュール６１０、７１０、８１０が実行するための、メモリに、たとえば図６〜図８中のメモリモジュール６２０、７２０、８２０に記憶された、コンピュータプログラムとして実装され得ることに留意されたい。
【００８４】
また、上記で説明された処理回路６１０、７１０、８１０、およびメモリ６２０、７２０、８２０は、それぞれ、アナログ回路およびデジタル回路、ならびに／または、処理回路６１０、７１０、８１０など、１つまたは複数のプロセッサによって実行されたとき、上記で説明されたように実施する、たとえばメモリに記憶されたソフトウェアおよび／またはファームウェアを伴って設定された１つまたは複数のプロセッサの、組合せを指し得ることを、当業者は諒解されよう。これらのプロセッサのうちの１つまたは複数、ならびに他のデジタルハードウェアが、単一の特定用途向け集積回路（ＡＳＩＣ）中に含まれ得るか、または、個々にパッケージングされるのか、システムオンチップ（ＳｏＣ）にアセンブルされるのかにかかわらず、いくつかのプロセッサおよび様々なデジタルハードウェアが、いくつかの別個の構成要素間で分散され得る。
【００８５】
本明細書で提供される例示的な実施形態の説明が、例示の目的で提示された。本明細書は、網羅的であること、または例示的な実施形態を開示される正確な形態に限定することを意図せず、変更および変形が、上記の教示に照らして可能であるか、または与えられた実施形態に対する様々な代替形態の実践から得られ得る。本明細書で論じられる例は、企図される特定の使用に適合されるように、様々な様式でおよび様々な変更を伴って、当業者が例示的な実施形態を利用することを可能にするために、様々な例示的な実施形態の原理および性質、ならびにその実際的適用例について解説するために選定され、説明された。本明細書で説明される実施形態の特徴は、方法、装置、モジュール、システム、およびコンピュータプログラム製品のすべての可能な組合せにおいて組み合わされ得る。本明細書で提示される例示的な実施形態は、互いとの任意の組合せにおいて実践され得ることを諒解されたい。
【００８６】
「備える」という単語は、列挙されている要素またはステップ以外の要素またはステップの存在を必ずしも除外しないことと、要素に先行する「ａ」または「ａｎ」という単語は、複数のそのような要素の存在を除外しないこととに留意されたい。いかなる参照符号も、特許請求の範囲を限定しないことと、例示的な実施形態は、ハードウェアとソフトウェアの両方によって少なくとも部分的に実装され得ることと、いくつかの「手段」、「ユニット」または「デバイス」は、ハードウェアの同じ項目によって表され得ることとにさらに留意されたい。
【００８７】
また、本明細書で説明される様々な例示的な実施形態は、ネットワーク化された環境においてコンピュータによって実行されるプログラムコードなどのコンピュータ実行可能命令を含む、コンピュータ可読媒体中に組み込まれた、コンピュータプログラム製品によって一態様において実装され得る、方法ステップまたはプロセスの一般的なコンテキストで説明されることに留意されたい。コンピュータ可読媒体は、限定はしないが、読取り専用メモリ（ＲＯＭ）、ランダムアクセスメモリ（ＲＡＭ）、コンパクトディスク（ＣＤ）、デジタル多用途ディスク（ＤＶＤ）などを含む、取外し可能および取外し不能ストレージデバイスを含み得る。概して、プログラムモジュールは、特定のタスクを実施するか、または特定の抽象データ型を実装する、ルーチン、プログラム、オブジェクト、構成要素、データ構造などを含み得る。コンピュータ実行可能命令、関連するデータ構造、およびプログラムモジュールは、本明細書で開示される方法のステップを実行するためのプログラムコードの例を表す。そのような実行可能な命令または関連するデータ構造の特定のシーケンスは、そのようなステップまたはプロセスで説明される機能を実装するための対応する行為の例を表す。
【００８８】
本明細書の実施形態は、上記で説明された好ましい実施形態に限定されない。様々な代替形態、変更形態および等価物が使用され得る。それゆえ、上記実施形態は、限定的なものとして解釈されるべきでない。
【００８９】
略語
ＷＬＡＮ  ワイヤレスローカルアクセスネットワーク
ＡＰ  アクセスポイント
ＳＴＡ  局
ＳＩＮＲ  信号対干渉プラス雑音比
ＭＣＳ  変調符号化方式
ＰＨＹ  物理
ＭＡＣ  媒体アクセス制御
ＢＳＳ  基本サービングセット
ＯＢＳＳ  重複基本サービングセット
ＣＣＡＴ  クリアチャネルアセスメントしきい値
ＬＡ  リンク適応
ＲＴＳ  リクエストツーセンド
ＣＴＳ  クリアツーセンド
ＰＨＹ  物理
ＭＰＤＵ  ＭＡＣプロトコルデータユニット
ＡＭＰＤＵ  アグリゲートＭＡＣプロトコルデータユニット
ＰＬＣＰ  物理レイヤコンバージェンスプロトコル
ＰＰＤＵ  ＰＬＣＰプロトコルデータユニット
ＲＳＳＩ  受信信号強度インジケータ
ＲＣＰＩ  受信チャネル電力インジケータ
【図１】
2019512930.tif 000003
【図２】
2019512930.tif 000004
【図３】
2019512930.tif 000005
【図４】
2019512930.tif 000006
【図５】
2019512930.tif 000007
【図６】
2019512930.tif 000008
【図７】
2019512930.tif 000009
【図８】
2019512930.tif 000010
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク（１００）において干渉を低減するために送信ノード（１１０）によって実施される方法であって、前記方法は、
前記送信ノード（１１０）からの送信信号に対して干渉ノード（１１１）によって引き起こされた干渉が、前記ワイヤレス通信ネットワーク（１００）における受信ノード（１２１）における前記送信信号の受信に関するタイミング条件を満たすことを示す情報を受信すること（２０１）と、
前記受信された情報に基づいて前記送信ノード（１１０）における１つまたは複数の送信パラメータを調整すること（２０２）と
を含む、方法。
【請求項２】
前記タイミング条件は、前記受信ノード（１２１）において前記送信信号の前記受信よりも前に前記干渉が受信されたこと、または前記受信ノード（１２１）において前記送信信号の前記受信と同時に前記干渉が受信されたこと、または前記受信ノード（１２１）において前記送信信号の前記受信よりも後に前記干渉が受信されたことである、請求項１に記載の方法。
【請求項３】
ワイヤレス通信ネットワーク（１００）において干渉を低減するための送信ノード（１１０）であって、前記送信ノード（１１０）は、
前記送信ノード（１１０）からの送信信号に対して干渉ノード（１１１）によって引き起こされた干渉が、前記ワイヤレス通信ネットワーク（１００）における受信ノード（１２１）における前記送信信号の受信に関するタイミング条件を満たすことを示す情報を受信することと、前記受信された情報に基づいて前記送信ノード（１１０）における１つまたは複数の送信パラメータを調整することと
を行うように設定された、送信ノード（１１０）。
【請求項４】
前記タイミング条件は、前記受信ノード（１２１）において前記送信信号の前記受信よりも前に前記干渉が受信されたこと、または前記受信ノード（１２１）において前記送信信号の前記受信と同時に前記干渉が受信されたこと、または前記受信ノード（１２１）において前記送信信号の前記受信よりも後に前記干渉が受信されたことである、請求項３に記載の送信ノード（１１０）。
【請求項５】
前記タイミング条件が、前記受信ノード（１２１）において前記送信信号よりも前に前記干渉が受信されたことを示すとき、前記送信ノード（１１０）は、チャネル検知しきい値を減少させることによって、および／または前記送信ノード（１１０）からの送信信号の送信電力を増加させることによって、１つまたは複数の送信パラメータを調整するように設定された、請求項４に記載の送信ノード（１１０）。
【請求項６】
前記タイミング条件が、前記受信ノード（１２１）において送信の前記受信よりも後に前記干渉が受信されたことを示すとき、前記送信ノード（１１０）は、前記ワイヤレス通信ネットワーク（１００）においてリクエストツートランスミット／クリアツートランスミット（ＲＴＳ／ＣＴＳ）プロシージャを開始することによって、および／または前記送信ノード（１１０）からの送信信号の前記送信電力を増加させることによって、１つまたは複数の送信パラメータを調整するように設定された、請求項４または５に記載の送信ノード（１１０）。
【請求項７】
前記タイミング条件が、前記受信ノード（１２１）において前記送信信号の前記受信と同時に前記干渉が受信されたことを示すとき、前記送信ノード（１１０）は、前記送信ノード（１１０）における競合ウィンドウサイズを増加させることによって１つまたは複数の送信パラメータを調整するように設定された、請求項４から６のいずれか一項に記載の送信ノード（１１０）。
【請求項８】
ワイヤレス通信ネットワーク（１００）において干渉を低減するために干渉ノード（１１１）によって実施される方法であって、前記方法は、
送信ノード（１１０）からの送信信号に対して前記干渉ノード（１１１）によって引き起こされた干渉が、前記ワイヤレス通信ネットワーク（１００）における受信ノード（１２１）における前記送信信号の受信に関するタイミング条件を満たすことを示す情報を受信すること（３０１）と、
前記受信された情報に基づいて前記干渉ノード（１１１）における１つまたは複数の送信パラメータを調整すること（３０２）と
を含む、方法。
【請求項９】
前記タイミング条件は、前記受信ノード（１２１）において前記送信信号の前記受信よりも前に前記干渉が受信されたこと、または前記受信ノード（１２１）において前記送信信号の前記受信と同時に前記干渉が受信されたこと、または前記受信ノード（１２１）において前記送信信号の前記受信よりも後に前記干渉が受信されたことである、請求項８に記載の方法。
【請求項１０】
ワイヤレス通信ネットワーク（１００）において干渉を低減するための干渉ノード（１１１）であって、前記干渉ノード（１１１）は、
送信ノード（１１０）からの送信信号に対して前記干渉ノード（１１１）によって引き起こされた干渉が、前記ワイヤレス通信ネットワーク（１００）における受信ノード（１２１）における前記送信信号の受信に関するタイミング条件を満たすことを示す情報を受信することと、前記受信された情報に基づいて前記干渉ノード（１１１）における１つまたは複数の送信パラメータを調整することと
を行うように設定された、干渉ノード（１１１）。
【請求項１１】
前記タイミング条件は、前記受信ノード（１２１）において前記送信信号の前記受信よりも前に前記干渉が受信されたこと、または前記受信ノード（１２１）において前記送信信号の前記受信と同時に前記干渉が受信されたこと、または前記受信ノード（１２１）において前記送信信号の前記受信よりも後に前記干渉が受信されたことである、請求項１０に記載の干渉ノード（１１１）。
【請求項１２】
前記タイミング条件が、前記受信ノード（１２１）において前記送信信号よりも前に前記干渉が受信されたことを示すとき、前記干渉ノード（１１１）は、前記ワイヤレス通信ネットワーク（１００）においてリクエストツートランスミット／クリアツートランスミット（ＲＴＳ／ＣＴＳ）プロシージャを開始することによって、および／または前記干渉ノード（１１１）からの送信信号の送信電力を減少させることによって、１つまたは複数の送信パラメータを調整するように設定された、請求項１１に記載の干渉ノード（１１１）。
【請求項１３】
前記タイミング条件が、前記受信ノード（１２１）において送信の前記受信よりも後に前記干渉が受信されたことを示すとき、前記干渉ノード（１１１）は、チャネル検知しきい値を減少させることによって、および／または前記干渉ノード（１１１）からの送信信号の前記送信電力を減少させることによって、１つまたは複数の送信パラメータを調整するように設定された、請求項１１または１２に記載の干渉ノード（１１１）。
【請求項１４】
前記タイミング条件が、前記受信ノード（１２１）において前記送信信号の前記受信と同時に前記干渉が受信されたことを示すとき、前記干渉ノード（１１１）は、前記干渉ノード（１１１）における競合ウィンドウサイズを増加させることによって１つまたは複数の送信パラメータを調整するように設定された、請求項１１から１３のいずれか一項に記載の干渉ノード（１１１）。
【請求項１５】
ワイヤレス通信ネットワーク（１００）において干渉を低減するために受信ノード（１２１）によって実施される方法であって、前記方法は、
送信ノード（１１０）からの送信信号に対して干渉ノード（１１１）によって引き起こされた干渉が、前記受信ノード（１２１）における前記送信信号の受信に関するタイミング条件を満たすことを示す情報を決定すること（３０１）と、
前記干渉ノード（１１１）におよび／または前記送信ノード（１１０）に、前記決定された情報を送信すること（３０２）と
を含む、方法。
【請求項１６】
前記タイミング条件は、前記受信ノード（１２１）において前記送信信号の前記受信よりも前に前記干渉が受信されたこと、または前記受信ノード（１２１）において前記送信信号の前記受信と同時に前記干渉が受信されたこと、または前記受信ノード（１２１）において前記送信信号の前記受信よりも後に前記干渉が受信されたことである、請求項１５に記載の方法。
【請求項１７】
ワイヤレス通信ネットワーク（１００）において干渉を低減するための受信ノード（１２１）であって、前記受信ノード（１２１）は、
送信ノード（１１０）からの送信信号に対して干渉ノード（１１１）によって引き起こされた干渉が、前記受信ノード（１２１）における前記送信信号の受信に関するタイミング条件を満たすことを示す情報を決定することと、前記干渉ノード（１１１）におよび／または前記送信ノード（１１０）に、前記決定された情報を送信することと
を行うように設定された、受信ノード（１２１）。
【請求項１８】
前記タイミング条件は、前記受信ノード（１２１）において前記送信信号の前記受信よりも前に前記干渉が受信されたこと、または前記受信ノード（１２１）において前記送信信号の前記受信と同時に前記干渉が受信されたこと、または前記受信ノード（１２１）において前記送信信号の前記受信よりも後に前記干渉が受信されたことである、請求項１７に記載の受信ノード（１２１）。
【請求項１９】
前記受信ノード（１２１）において前記送信信号の前記受信よりも前に前記干渉が受信されたという前記タイミング条件は、前記送信信号のほとんどのデータユニットが、間違って復号された、前記送信信号のプリアンブルの後に発生するデータユニットの最初のデータペイロードユニットを少なくとも有すると同時に、正しく復号された、前記送信信号のプリアンブルの後に発生するデータユニットの最後のデータペイロードユニットをも少なくとも有するとき、満たされると見なされる、請求項１８に記載の受信ノード（１２１）。
【請求項２０】
前記受信ノード（１２１）において前記送信信号の前記受信よりも後に前記干渉が受信されたという前記タイミング条件は、前記送信信号のほとんどのデータユニットが、正しく復号された、前記送信信号のプリアンブルの後に発生するデータユニットの最初のデータペイロードユニットを少なくとも有すると同時に、間違って復号された、前記送信信号のプリアンブルの後に発生するデータユニットの最後のデータペイロードユニットをも少なくとも有するとき、満たされると見なされる、請求項１８または１９に記載の受信ノード（１２１）。
【請求項２１】
少なくとも１つのプロセッサ（６１０、７１０、８１０）上で実行されたとき、前記少なくとも１つのプロセッサ（６１０、７１０、８１０）に、請求項１、２、８、９、１５、または１６のいずれか一項に記載の方法を行わせる命令を備える、コンピュータプログラム製品。
【請求項２２】
請求項２１に記載のコンピュータプログラム製品を含んでいるキャリアであって、電子信号、光信号、無線信号、またはコンピュータ可読記憶媒体のうちの１つである、キャリア。
【国際調査報告】
2019512930.tif 000011
2019512930.tif 000012
2019512930.tif 000013
2019512930.tif 000014